(57)【要約】【課題】ガス使用量のばらつきが大きいガス発電・給湯暖房システムの使用を流量変化から判定し、高精度で器具判別を行うことを可能とする。【解決手段】ガス発電システム判定手段２３１は、流量計測手段１０４によって計測された一定時間毎のガス流量より、所定条件を満たした場合にガス発電システムと判定し、器具判別手段１１６に、ガス発電システム判定の通知をおこない、器具判別手段１１６は、今回のガス使用がガス発電システムでないと判定した場合、従来の器具判定処理をおこなう。【選択図】図１
2012242229.tif 000002
【特許請求の範囲】
【請求項１】
流路に流れる流体の流量を一定時間間隔で計測する流量計測手段と、
前記流量計測手段によって計測された流量を記憶する計測流量記憶手段と、
前記計測流量記憶手段に記憶されている流量から器具の特徴を示す器具特徴流量を抽出する器具特徴抽出手段と、
前記器具特徴流量の一定時間毎の差分値を演算する演算手段と、
前記器具特徴抽出手段により抽出された流量情報が以下の条件（Ａ）〜（Ｃ）を満たした場合にガス発電・給湯暖房システムが使用されていると判定するガス発電システム判定手段と、
を備えることを特徴とする流量計測装置。
（Ａ）一定時間間隔ごとの流量差分値が第１所定流量以下である。
（Ｂ）対象判別期間における最大流量が第２所定流量以下である。
（Ｃ）対象判別期間における一定時間間隔ごとの流量差分値の絶対値の総和が第３所定流量以上である。
【請求項２】
請求項１に記載の流量計測装置の機能の全てもしくは一部をコンピュータに実行させるプログラム。
【発明の詳細な説明】
【技術分野】
【０００１】
本発明は、流体の流量の変化を捕らえることにより、流体を使用している器具を正しく判別するための技術に関するものである。
【背景技術】
【０００２】
従来、流体配管に接続され配管下流において使用される使用器具の種類を特定するガスメータ装置として、特許文献１に記載のものがある。その構成について図７を参照しながら説明する。
【０００３】
図７に示すように、ガスメータ装置１は、家庭用ガス供給管に接続された流路６中に配置され、ガス流量を一定時間間隔で計測する流量計測手段３と、流量計測手段３から出力される流量値の差分値を求める演算手段４と、演算手段４により算出された差分値と記憶手段５内に登録された変化判定値との大きさを比較し、ガス器具の使用状態の変化を判定する比較判定手段７と、を有する構成である。演算手段４、比較判定手段７、ガス遮断弁２は、制御回路８によって制御されている。ガスメータ装置１においては、流量計測手段３から出力される瞬時流量の差分値の変化を逐次演算し、その変化量でもってガス器具の使用状態の変化を判定するものであり、登録されたデータと計測されたガス流量の変化（差分値）を比較し、使用ガス器具１３、１４、１５の判別を可能とする。
【０００４】
また、従来の流体の使用器具の判別方法として特許文献２に記載のものがある。その構成について図８を参照しながら説明する。
【０００５】
図８に示すように、第一演算手段１０８は、流量計測手段１０４によって計測されたガスの流量の一定時間毎の差分値を演算し、差分値変換部１１２により、流量区分表保持部１１０に格納されている流量区分表１１０ａを用いて一定時間毎の差分値を所定の区分に区分けし、当該区分を表す所定のコードに変換する。器具判別部１１６は、差分値変換部１１２で変換されたコードを用いてコード列生成部１１４で生成されたコード列と、器具固有コード列情報保持部１１８に記憶された器具固有の器具固有特徴コード列を比較し、器具を判別する。この構成においては、流量の差分値をコード化（変換）して得られる符合値を使用し、器具判別の実行に際し、演算を簡略化することにより、演算に必要なメモリ量などを減らしつつ、演算速度、器具判別精度の向上を図る。
【先行技術文献】
【特許文献】
【０００６】
【特許文献１】特開２００６−３１３１１４号公報
【特許文献２】特開２００８−３０９４９８号公報
【発明の概要】
【発明が解決しようとする課題】
【０００７】
しかしながら、従来の構成では、例えばガス発電・給湯暖房システム（以降、「ガス発電システム」と記述）が使用されている場合、ガス使用量のばらつきが大きく、流量差分やコード列にあらかじめ登録されたデータと比較し判別しても誤判定してしまうという課題があった。
【０００８】
本発明は従来の課題を解決するもので、ガス発電システムの特徴を抽出する構成とすることにより、ガス器具の判別比較の簡素化を図り、器具判別精度の向上を図ることを目的とする。
【課題を解決するための手段】
【０００９】
従来の課題を解決するために、本発明の流量計測装置は、流路に流れる流体の流量を一定時間間隔で計測する流量計測手段と、流量計測手段によって計測された流量を記憶する計測流量記憶手段と、計測流量記憶手段に記憶されている流量から器具の特徴を示す器具特徴流量を抽出する器具特徴抽出手段と、器具特徴流量の一定時間毎の差分値を演算する演算手段と、器具特徴抽出手段により抽出された流量情報が以下の条件（Ａ）〜（Ｃ）を満たした場合にガス発電・給湯暖房システムが使用されていると判定するガス発電システム判定手段と、を備えることを特徴としたものである。
【００１０】
（Ａ）一定時間間隔ごとの流量差分値が第１所定流量以下である。
【００１１】
（Ｂ）対象判別期間における最大流量が第２所定流量以下である。
【００１２】
（Ｃ）対象判別期間における一定時間間隔ごとの流量差分値の絶対値の総和が第３所定流量以上である。
【００１３】
これにより、ガス発電システムと判定した場合には、流量差分やコード列で、あらかじめ登録されたデータとの比較をせずに誤判定をなくしてガス器具の判別比較の簡素化を図ることが可能となる。
【発明の効果】
【００１４】
本発明の流量計測装置によると、ガス発電システムの特徴を抽出する構成とすることにより、ガス器具の判別比較の簡素化を図り、器具判別精度の向上を図ることが可能となる。
【図面の簡単な説明】
【００１５】
【図１】本発明の実施の形態１〜３における流量計測装置のブロック図
【図２】（ａ）本発明の実施の形態１におけるガス発電システム判定のフローチャート、（ｂ）本発明の実施の形態１における器具判別のフローチャート
【図３】（ａ）ガス器具Ａ使用時の流量差分値を流量区分表に従って区分する概念を示す図、（ｂ）ガス器具Ａ使用時における流量の時間変化を示すグラフ、（ｃ）ガス器具Ａ使用時における流量区分コードの時間変化を表すグラフ、（ｄ）ガス器具Ａ使用時における抽出コードとコード列との関係を示すグラフ
【図４】本発明の実施の形態１〜３における流量区分表の一例を示す図
【図５】（ａ）本発明の実施の形態１におけるガス発電システム使用時の流量差分値を流量区分表に従って区分する概念を示す図、（ｂ）ガス発電システム使用時の流量特性を示すグラフ
【図６】（ａ）本発明の実施の形態１におけるガス器具Ｂ使用時の流量差分値を流量区分表に従って区分する概念を示す図、（ｂ）ガス器具Ｂ使用時の流量特性を示すグラフ、（ｃ）ガス器具Ｂ使用時の区分されたコードを表すグラフ、（ｄ）ガス器具Ｂ使用時の特徴を抽出したコード列を示すグラフ
【図７】従来のガスメータのブロック図
【図８】従来の流量計測装置のブロック図
【発明を実施するための形態】
【００１６】
第１の発明は、流路に流れる流体の流量を一定時間間隔で計測する流量計測手段と、流量計測手段によって計測された流量を記憶する計測流量記憶手段と、計測流量記憶手段に記憶されている流量から器具の特徴を示す器具特徴流量を抽出する器具特徴抽出手段と、器具特徴流量の一定時間毎の差分値を演算する演算手段と、器具特徴抽出手段により抽出
された流量情報が以下の条件（Ａ）〜（Ｃ）を満たした場合にガス発電・給湯暖房システムが使用されていると判定するガス発電システム判定手段と、を備えることを特徴とした流量計測装置である。
【００１７】
（Ａ）一定時間間隔ごとの流量差分値が第１所定流量以下である。
【００１８】
（Ｂ）対象判別期間における最大流量が第２所定流量以下である。
【００１９】
（Ｃ）対象判別期間における一定時間間隔ごとの流量差分値の絶対値の総和が第３所定流量以上である。
【００２０】
これにより、ガス発電システムと判定した場合には、流量差分やコード列で、あらかじめ登録されたデータとの比較を行わないことでガス器具の判別比較の簡素化を図り、誤判定を防止することが可能となる。
【００２１】
第２の発明は、第１の発明に記載の流量計測装置の機能の全てもしくは一部をコンピュータに実行させるプログラムである。そして、汎用コンピュータやサーバーを用いて第１の発明のプログラムの一部を容易に実現できるため、記録媒体に記録したり通信回線を用いてプログラムを配信したりすることができ、プログラムの配布やインストール作業が簡単にできる。
【００２２】
本発明は、第１の発明の要部を実施の形態とすることにより本発明の目的を達成できるので、各請求項に対応する実施の形態の詳細を、以下に図面を参照しながら説明し、本発明を実施するための形態の説明とする。なお、本実施の形態によって本発明が限定されるものではない。また、各実施の形態の説明において、同一構成並びに同一作用効果を奏するところには、同一符号を付して重複した説明を行わないものとする。
【００２３】
（実施の形態１）
図１は、本発明の実施の形態１における流量計測装置のブロック図である。
【００２４】
図１において、ガスメータ１００は上流側においてガス管路１９に接続されるとともに、下流側にてガステーブル、ファンヒータ、床暖房、ガス発電システム等、種々のガス器具１３、１４、１５に接続されている。また、ガスメータ１００は、流路１０２と、流量計測手段１０４と、計測流量記憶手段１０６と、ガス発電システム判定手段２３１と、第一演算手段１０８と、第二演算手段２３０と、流量区分表保持手段１１０と、差分値変換手段１１２と、器具特徴抽出手段２１４と、器具判別手段１１６と、遮断手段１２２と、器具固有特徴情報保持手段２１８とを備えたものである。遮断手段１２２はガス管路１９に接続される流路を緊急時などに遮断する機能を備えている。
【００２５】
流量計測手段１０４は、流路１０２に流れる流体としてのガスに対し、一定時間間隔で超音波を発信してその伝搬時間を計測することで流量を算出するものであり、公知のものを使用することができる。計測流量記憶手段１０６は、流量計測手段１０４で計測された計測流量と、当該計測流量値を計測したときの計測時間とを対応付けて対象データとして記憶する。
【００２６】
ガス発電システム判定手段２３１は、流量計測手段１０４によって計測された一定時間毎のガス流量が安定しないことを判定する安定流量判定手段と、対象流量の最大値が所定流量以下であることを判定する最大流量判定手段と、流量変動の最大値と最小値の差の総和が所定流量以上であることを判定する流量差の総和判定手段とを備えている。そして、安定流量判定手段・最大流量判定手段・総和判定手段の３つの判定結果によりガス発電シ
ステムと判定する。また、後術する器具判別手段１１６に、ガス発電システム判定の結果を通知するように構成しても良い。
【００２７】
次に、図２（ａ）のフローチャートを用いて、ガス発電システム判定手段２３１の動作を説明する。
【００２８】
Ｓ１で流量計測手段１０４によって計測された一定時間毎のガス流量が安定しているかを判断する。ガス流量が安定していない場合は、Ｓ５においてガス発電システムが使用されていないと判定する。ガス流量が安定している場合はＳ２で流量計測手段１０４によって計測された一定時間毎のガス流量の最大値が所定量（例えば３８０（Ｌ／ｈ））以下かどうか判定する。ガス流量が所定量を超える場合は、Ｓ５のガス発電システムが使用されていないと判定する。ガス流量が所定量未満の場合は、Ｓ３でガス流量変動の差分値の総和が所定量（例えば５１０（Ｌ／ｈ））以上かどうか判定する。ガス流量変動の差分値の総和が所定量未満の場合は、Ｓ５のガス発電システムが使用されていないと判定する。ガス流量変動の差分値の総和が所定量以上の場合は、Ｓ５のガス発電システムが使用されていると判定する。
【００２９】
第一演算手段１０８は、超音波発射間隔に相当する一定時間毎に、流量計測手段１０４によって計測されたガス流量の差分値を演算するものである。例えば図３において、所定タイミングの流量（絶対流量）が９０（Ｌ／ｈ）であり、次のタイミングでの流量が１４５（Ｌ／ｈ）である場合、このときの差分値は１４５−９０＝５５（Ｌ／ｈ）として演算される。大流量区分表保持手段１１０は、図４に示すように、差分値の大きさに応じた複数の差分値の区分と、各区分を表すコードが対応付けられた流量区分表１１０ａを保持するものである。流量区分表１１０ａは、計測された差分値の絶対値を所定の区分に区分けし、当該区分を表す所定のコードに変換する変換テーブルの役割を果たす。流量区分表１１０ａの区分の数は特に限定されないが、図４では一例として１６コードに区分されたものを記載している。尚、流量がゼロと判断される領域を挙げたが、実際の装置では計測される流量には多少のばらつきがあるため完全にゼロとなることはあまりない。したがって、流量がゼロとなるのはほぼゼロの場合、及び実質的にゼロとなった場合をも含む。
【００３０】
第二演算手段２３０は、流量計測手段１０４によって計測されたガスの流量の、前述した超音波発射間隔に相当する一定時間毎の第一演算手段１０８と異なった時間間隔の差分値を演算するものである。なお、本実施の形態では、第一演算手段が連続する計測流量の差分であるとしたが、前々回の流量と今回の流量との差分でもよいし、前々前回の流量と今回の流量との差分であってもよい。例えば後述する図３において、所定タイミングの流量（絶対流量）が０（Ｌ／ｈ）、９０（Ｌ／ｈ）と増加した場合に、次のタイミングでの流量が１４５（Ｌ／ｈ）である場合、このときの第一演算手段１０８の差分値は１４５−９０＝５５（Ｌ／ｈ）として演算され、さらに第二演算手段２３０の差分値は１４５−０＝１４５（Ｌ／ｈ）として演算される。
【００３１】
また、各区分の範囲については、それぞれ異なる流量間隔を有して細分化されている。例えばコード１から５までは１０（Ｌ／ｈ）とし、コード６からＢまでは２５（Ｌ／ｈ）、コードＣからＤまでは５０（Ｌ／ｈ）、コードＥは１００（Ｌ／ｈ）といったように、流量の差分値の小さいほうを細分化している。このような構成により、差分値の小さい領域では器具の種類が多くても、器具判別精度を上げることができる。
【００３２】
なお、コードのＡからＦについては、１０から１５を１６進数で表記したものであるので、コードを数値として大小比較を行うことができる。
【００３３】
差分値変換手段１１２は、第一演算手段１０８によって演算された差分値を、流量区分
表１１０ａに基づき、区分を表すコードに変換する。
【００３４】
器具特徴抽出手段２１４は、差分値変換手段１１２によって得られた一定時間毎のコードの集合に基づき、実際の計測により得られたコードの列である計測コード列から器具の特徴を示す抽出コード列を生成する。この計測コード列は、流体の流量変化を擬似的に表現するものである。器具特徴抽出手段２１４は、器具の特徴を示す抽出コード列を必要に応じてメモリ（図示せぬ）に記録する。器具特徴抽出手段２１４は、流量計測手段１０４によって計測されたガスの流量を監視し、流量の推移から例えばファンヒータの緩点火流量のように器具の特徴を示す複数の器具特徴流量を抽出し、必要に応じてメモリ（図示せぬ）に記録する。
【００３５】
器具判別手段１１６は、器具特徴抽出手段２１４によって抽出された抽出コード列ならびに器具特徴流量に基づき、流体としてのガスを使用しているガス器具を判別する。ここで器具判別手段１１６は、ガス発電システム判定手段２３１の結果に基づきガス発電システムの使用の有無を確認する。そして、ガス発電システムが使用されていない場合には抽出コード列と予めガス器具ごとに器具固有特徴情報保持手段２１８に記憶されたガス器具固有の特徴コード列を示す器具固有特徴コード列（あるいは複数の器具特徴流量）とを比較し、その類似関係等から使用されているガス器具を判別する。
【００３６】
これについて、図２（ｂ）の器具判別手段１１６の処理のフローチャートを用いて説明する。Ｓ１０でガス発電システム判定手段２３１によりガス発電システム有りかどうかの判定を行う。ガス発電システム有りの場合は、Ｓ１２の使用器具をガス発電システムとする。ガス発電システム無しの場合には、Ｓ１１の従来の器具判別処理をおこなう。この器具判別手段１１６により、器具別流量算出手段１２０は判別されたガス器具毎のガス使用流量を算出することができる。
【００３７】
以上のように構成された流量計測装置について、以下器具の特徴抽出処理に関して、その動作について説明する。
【００３８】
まず、流量計測手段１０４によって一定時間間隔（例えば０．５秒など）をおいて計測される流量（絶対流量）Ｑ（ｎ）と前回計測された流量Ｑ（ｎ−１）は、計測流量記憶手段１０６に一旦記憶される。ガス発電システム判定手段２３１は、計測流量記憶手段１０６からのＱ（ｎ）と前回計測された流量Ｑ（ｎ−１）あるいは、前々回計測された流量Ｑ（ｎ−２）から以下の３つの条件を満たすか判定を行う。
【００３９】
条件１．安定流量がある（流量差分値が一定の範囲内で安定している）。
【００４０】
条件２．対象流量の最大値が所定流量（例、３８０（Ｌ／ｈ））以下である。
【００４１】
条件３．流量変動の差分値の総和が所定流量（例、５１０（Ｌ／ｈ））以上である。
【００４２】
この３つの条件を全て満たした場合、ガス発電システムが使用されていると判別し、器具判別手段１１６に通知する。
【００４３】
具体的に図５（ａ）の事例で説明する。一定時間間隔の絶対流量Ｑ（ｎ）（単位：Ｌ／ｈ）は、８８、４２、１３１、２７、１２９、５２、１３７、２２０、１６４、２１１、２２０、１９９、・・・となる。このときの流量差分値ΔＱは、１４７、−１０７、２２０、−２０２、１７、１０５、−１０５・・・と変化しているので、条件１の安定流量がないと判定する。次に、Ｑ（ｎ）は３８０（Ｌ／ｈ）以下であるので、条件２の対象流量の最大値が所定流量（例えば、３８０（Ｌ／ｈ））以下である。次に流量変動の最大値と
最小値の差の絶対値は、最初の最大値は８８（Ｌ／ｈ）となり、８８−４２＝４６（Ｌ／ｈ）、１３２−４２＝９０（Ｌ／ｈ）、１３２−２７＝１０４（Ｌ／ｈ）、２７−１２９＝１０２（Ｌ／ｈ）、１２９−５２＝７７（Ｌ／ｈ）、１３７−５２＝８５（Ｌ／ｈ）、次のＱ（８）は、１３７（Ｌ／ｈ）であるがＱ（９）が最大値であるのでスキップし２２０−５２＝１６８（Ｌ／ｈ）となりこれらの絶対値の総和は、５８９となり条件３の流量変動の最大値と最小値の差の総和が所定流量以上（例、５１０（Ｌ／ｈ）以上）である。このように条件１〜３を全て満たすのでガス発電システムが使用されていると判別する。
【００４４】
また、ガス発電システム判定手段２３１が、今回のガス使用がガス発電システムでないと判別した場合、器具判別手段１１６に通知するとともに、従来の器具判定処理をおこなう。Ｑ（ｎ）と前回計測された流量Ｑ（ｎ−１）との差である差分値ΔＱ１（ｎ）＝Ｑ（ｎ）−Ｑ（ｎ−１）を第一演算手段１０８で演算し、差分値ΔＱ２（ｎ）＝Ｑ（ｎ）−Ｑ（ｎ−２）を第二演算手段２３０で演算する。ここで一定間隔は１秒や２秒であってもよい。また、ΔＱ１は前々回の流量との差分値、ΔＱ２は前々前回の流量との差分値であってもよい。
【００４５】
差分値変換手段１１２は、それぞれ第一演算手段１０８によって演算された差分値ΔＱ１（ｎ）と第二演算手段２３０によって演算された差分値ΔＱ２（ｎ）の絶対値を、図４の流量区分表１１０ａを参照し、一定時間毎の差分値が分類される区分を表すコードである区分コードに変換する。図３はこのような流量区分表を用いた変換の一例を示している。図１のガス器具１３、１４、１５のいずれかに相当するガス器具Ａ（例えばファンヒータ）が起動を開始し、ガス流量が発生すると、計測される流量は、図３（ａ）の「流量値」、図３（ｂ）のグラフで示されるように、流量Ｑ（ｎ）＝０から流量Ｑ（ｎ）≠０となり、ガス使用量に応じて流量が変化する。流量計測手段１０４による流量の計測と同時に、第一演算手段１０８が差分値を演算し、区分コードへの変換が差分値変換手段１１２によって行われる（図３（ａ）の「コード」列に図示）。
【００４６】
変換の結果得られたコードから、器具特徴抽出手段２１４は、差分値変換手段１１２によって変換されたコードが、前回コードが前々回コードより大、且つ前回コードが今回コードより大の場合、あるいは前回コードが前々回コードより小、且つ前回コードが今回コードより小の場合には今回コードを図示せぬメモリである器具特徴コード列に格納し、それ以外の場合には、今回コードを器具特徴コード列に格納された前回コードに上書きする処理をおこなう。この処理により、図３に示した一定時間毎のコード列［０７６１１５１１１１１１１１１１］から抽出したコード列［０７１５１］が器具特徴コード列に格納されることになる。すなわち、この処理をおこなうことにより、図３（ｂ）に示したガス器具Ａの起動から流量グラフの変化点ｉまで、変化点ｉから変化点ｉｉまで、変化点ｉｉから変化点ｉｉｉまでのコードのピーク値を抽出することができる。この抽出されたコード列をグラフに示したものが図３（ｄ）であり、情報量が圧縮されているにも関わらず、図３（ｃ）に示した抽出前のコード列のグラフと比較しても、十分に器具の特徴が抽出されていることがわかる。
【００４７】
同様に、図６はガス器具Ｂ使用時の特徴抽出についての概念を示す図であるが、ガス器具Ｂ（例えばプッシュレバー方式のガステーブルなど）では、差分値変換手段１１２で変換された一定時間毎のコード列［０３６１１１１１１１１１１１１１］から抽出したコード列［０６１］が器具特徴コード列に格納される。
【００４８】
ここで、抽出された器具特徴コード列について、上記のガス器具Ａの場合とガス器具Ｂの場合とを比較してみると、ガス器具Ａすなわち図３（ｄ）のグラフでは２山現れているが、ガス器具Ｂすなわち図６（ｄ）のグラフでは１山しか現れていない。これは器具Ａでは緩点火動作があるためであり、これによりガス器具Ｂとは明らかに判別することが可能
となる。
このようなガス器具毎の個別の立ち上り特性である器具固有の特徴コード列を予め器具固有特徴コード列情報保持手段２１８に記憶しておき、得られた器具特徴コード列が［０７１５１］であれば、使用されたガス器具がガス器具Ａであると判別することができ、また得られた器具特徴コード列が［０６１］であれば、使用されたガス器具がガス器具Ｂであると判別することができる。
【００４９】
以上のように、本実施の形態においては、ガス発電システム判定手段２３１により、ガス使用がガス発電システムと判定した場合には、流量差分やコード列で、あらかじめ登録されたデータとの比較をせずにガス器具の判別比較の簡素化を図り、誤判定をなくすことが可能となる。
【００５０】
以上のような流量計測方法を実施するため、ガスメータ１００の器具判別手段１１６や図示せぬコンピュータ（演算装置）には、流量計測方法の各ステップを実行させるプログラムが記憶されているが、プログラムに代えてハードを用いて実行することも可能である。
【００５１】
なお、上記各実施の形態においては、流量計測手段として超音波流量計を用いた場合について説明したが、サンプリング信号を用いる他の瞬間式の流量計測装置でも、同様の効果が得られることは明白である。器具判別後の処理は説明を省略したが、ガスメータでは、登録器具ごとあるいは分類分けされたグループごとの積算流量の計測による器具別料金や、登録器具ごとあるいは分類分けされたグループごとに安全管理（保安機能）処理の器具別保安機能を設定することも可能であることは明白である。また、ガスメータとガス器具に無線機のような送受信手段を装備させることができれば、より器具判別の精度が向上することは明白である。
【００５２】
なお、上記各実施の形態においては、一定時間毎の流量差分値から変換したコードを用いた器具の特徴抽出について説明したが、流量差分値を用いることにより、より精度良く特徴抽出が可能である。
【００５３】
なお、上記各実施の形態においては、器具固有コード列情報保持部１１８に記憶された器具固有特徴コード列と、差分値変換手段によって一定時間毎に得られたコードから器具の特徴を示す器具特徴コード列とを比較し、器具を判別するが、器具固有特徴コード列は、実際の流量計測を繰り返し、ばらつきを考慮した補正をおこなってもよい。また、器具登録モードを設け、現場で器具を繰り返し動作させ、器具特徴を抽出し、平均化するなどして器具固有特徴コード列として登録してもよい。また、器具固有特徴コード列を予め設定するのではなく、学習により器具固有特徴コード列を自動登録してもよい。
【００５４】
以上、本発明の各種実施形態を説明したが、本発明は実施形態において示された事項に限定されず、明細書の記載、並びに周知の技術に基づいて、当業者がその変更・応用することも本発明の予定するところであり、保護を求める範囲に含まれる。
【産業上の利用可能性】
【００５５】
以上のように、本発明にかかる流量計測装置は、器具の特徴を抽出することができることから、工業用流量計や水道メータにおいても同様に、流量計測装置の下流側に接続された使用器具の特定や、そのグルーピングに対しても適用できる。
【符号の説明】
【００５６】
１３、１４、１５  ガス器具
１９  ガス管路
１００  ガスメータ（流量計測装置）
１０２  流路
１０４  流量計測手段
１０６  計測流量記憶手段
１０８  第一演算手段
１１０  流量区分表保持手段
１１２  差分値変換手段
１１６  器具判別手段
１２２  遮断手段
２１４  器具特徴抽出手段
２１８  器具固有特徴コード列情報保持手段
２３１  ガス発電システム判定手段
【図１】
2012242229.tif 000003
【図２】
2012242229.tif 000004
【図３】
2012242229.tif 000005
【図４】
2012242229.tif 000006
【図６】
2012242229.tif 000007
【図７】
2012242229.tif 000008
【図８】
2012242229.tif 000009
【図５】
2012242229.tif 000010